(57)【要約】      （修正有）【課題】天井埋込型空気調和機の熱交換性能を向上させる。【解決手段】本体ユニット２００と、吸込口３５０及び吹出口３２０を有する化粧パネル３００を備える。本体ユニット２００の第２熱交換器６２０と筐体の背面板５３０との間に化粧パネル３００の吸込口３５０に連通する第１スペースＳ１を形成し、第１熱交換器６１０と筐体の前面板５２０との間に第２スペースを形成し、ドレンパンの下面と化粧パネル３００との間に第１スペースＳ１と第２スペースＳ２を連通させる第３スペースを形成する。シロッコファンのファンモータの中心から第１熱交換器６１０までの距離をＬ１とし、第２熱交換器６２０までの距離をＬ２とするとき、Ｌ１＜Ｌ２に設定する。【選択図】図７
2019178831.tif 000002
【特許請求の範囲】
【請求項１】
本体ユニットと、吸込口及び吹出ガイド筒を有し前記本体ユニットの底面に取り付けられる化粧パネルとを備えた天井埋込型空気調和機において、
前記本体ユニットは、天面板、前面板、背面板、左側面板、及び右側面板を有する箱型の筐体と、該筐体の前記前面板側に配置される第１熱交換器と、前記筐体の前記背面板側に配置される第２熱交換器と、前記第１熱交換器と前記第２熱交換器の間に配置され、前記化粧パネルの前記吸込口から前記第１熱交換器及び第２熱交換器を経由して空気を吸い込み吹出筒から吹き出すためのファンモータを有するシロッコファンを用いたファンユニットと、前記第１熱交換器及び第２熱交換器で生じる露を集めるとともに前記シロッコファンの前記吹出筒から吹き出される空気を前記化粧パネルの前記吹出ガイド筒に通過させる吹出開口を有するドレンパンとを備え、前記第２熱交換器と前記背面板との間に前記化粧パネルの前記吸込口に連通する第１スペースを形成し、前記第１熱交換器と前記前面板との間に第２スペースを形成し、且つ前記シロッコファンの前記ファンモータの中心から前記第１熱交換器までの距離をＬ１とし、前記ファンモータの中心から前記第２熱交換器までの距離をＬ２とするとき、Ｌ１＜Ｌ２に設定したことを特徴とする天井埋込型空気調和機。
【請求項２】
請求項１に記載の天井埋込型空気調和機において、
前記ドレンパンの下面と前記化粧パネルとの間に前記第１スペースと前記第２スペースを連通させる第３スペースを形成したことを特徴とする天井埋込型空気調和機。
【請求項３】
請求項２に記載の天井埋込型空気調和機において、
前記シロッコファンは、前記ファンモータと、前記ファンモータで回転される羽根車と、該羽根車を囲むファンケーシングを有し、該ファンケーシングの前記第１熱交換器を向く側が横向きの平面に形成されていることを特徴とする天井埋込型空気調和機。
【請求項４】
請求項１、２又は３に記載の天井埋埋込型空気調和機において、前記第１熱交換器及び第２熱交換器は板形状であり、前記第１熱交換器は上側が前記筐体の前記前面板の方向に近づくよう傾斜し、前記第２熱交換器は上側が前記筐体の前記背面板の方向に近づくよう傾斜していることを特徴とする天井埋埋込型空気調和機。
【発明の詳細な説明】
【技術分野】
【０００１】
本発明は、天井埋込型空気調和機（室内機）に関するものである。
【背景技術】
【０００２】
空調室内の天井裏に設置される天井埋込型空気調和機は、天井裏に設置される箱型の本体ユニットとその本体ユニットの下面を覆い室内の天井面に露出する化粧パネルとを有しており、冷媒配管によって屋外に設置される室外機と接続されることで冷媒回路を形成している。
【０００３】
図１１に天井埋込型空気調和機を示す。１０は本体ユニット、２０は化粧パネルである。本体ユニット１０は上面と周囲が鋼板製の筐体１１で囲まれている。そして、本体ユニット１０の内部には、化粧パネル２０の吸込口２１から空気を吸い込むシロッコファン１２と、そのシロッコファン１２によって吸い込まれた空気が吹き付けられその空気を冷媒と熱交換する熱交換器１３，１４と、その熱交換器１３，１４で生じる露を集めるドレンパン１５と、シロッコファン１２から吹き出される空気を化粧パネル２０の吹出口２２にガイドする吹出ガイド筒１６とが設けられる。シロッコファン１２は羽根車１２ａ、ファンケーシング１２ｂ、ファンモータ１２ｃを備える。
【０００４】
この天井埋込型空気調和機では、筐体１１の背面板１１ａ側に配置された熱交換器１３には、化粧パネル２０の吸込口２１から吸い込まれた空気がスペースＳ１を経由して吹き付けられる。また、筐体１１の前面板１１ｂ側に配置された熱交換器１４には、吸込口２１から吸い込まれた空気がスペースＳ１とドレンパン１５の下面のスペースＳ３を経由してスペースＳ２から吹き付けられる。このため、前面板１１ｂの側の熱交換器１４においても吸込口２１から吸い込まれた空気を冷媒と熱交換させることができる。
【発明の概要】
【発明が解決しようとする課題】
【０００５】
ところで、図１１の天井埋込型空気調和機のように、熱交換器１３，１４をシロッコファン１２のファンモータ１２ｃの回転軸１２ｃ１に対して、等距離Ｌ３だけ離れるように配置すると、化粧パネル２０の吸込口２１から熱交換器１４に至る通風路の距離が、吸込口２１から熱交換器１３に至る通風路の距離よりも長くなるので、熱交換器１４に吹き付けられる空気量が熱交換器１３に比べて少なくなり、熱交換器１４における冷媒との熱交換効率が悪くなる。
【０００６】
本発明の目的は、シロッコファンファンの両方の熱交換器を配置させた際であっても冷媒との熱交換効率を高め、熱交換性能を向上させた天井埋込型空気調和機を提供することである。
【課題を解決するための手段】
【０００７】
上記目的を達成するために、請求項１にかかる発明は、本体ユニットと、吸込口及び吹出ガイド筒を有し前記本体ユニットの底面に取り付けられる化粧パネルとを備えた天井埋込型空気調和機において、前記本体ユニットは、天面板、前面板、背面板、左側面板、及び右側面板を有する箱型の筐体と、該筐体の前記前面板側に配置される第１熱交換器と、前記筐体の前記背面板側に配置される第２熱交換器と、前記第１熱交換器と前記第２熱交換器の間に配置され、前記化粧パネルの前記吸込口から前記第１熱交換器及び第２熱交換器を経由して空気を吸い込み吹出筒から吹き出すためのファンモータを有するシロッコファンを用いたファンユニットと、前記第１熱交換器及び第２熱交換器で生じる露を集めるとともに前記シロッコファンの前記吹出筒から吹き出される空気を前記化粧パネルの前記吹出ガイド筒に通過させる吹出開口を有するドレンパンとを備え、前記第２熱交換器と前記背面板との間に前記化粧パネルの前記吸込口に連通する第１スペースを形成し、前記第１熱交換器と前記前面板との間に第２スペースを形成し、且つ前記シロッコファンの前記ファンモータの中心から前記第１熱交換器までの距離をＬ１とし、前記ファンモータの中心から前記第２熱交換器までの距離をＬ２とするとき、Ｌ１＜Ｌ２に設定したことを特徴とする。
請求項２にかかる発明は、請求項１に記載の天井埋込型空気調和機において、前記ドレンパンの下面と前記化粧パネルとの間に前記第１スペースと前記第２スペースを連通させる第３スペースを形成したことを特徴とする。
請求項３にかかる発明は、請求項２に記載の天井埋込型空気調和機において、前記シロッコファンは、前記ファンモータと、前記ファンモータで回転される羽根車と、該羽根車を囲むファンケーシングを有し、該ファンケーシングの前記第１熱交換器を向く側が横向きの平面に形成されていることを特徴とする。
請求項４にかかる発明は、請求項１、２又は３に記載の天井埋埋込型空気調和機において、前記第１熱交換器及び第２熱交換器は板形状であり、前記第１熱交換器は上側が前記筐体の前記前面板の方向に近づくよう傾斜し、前記第２熱交換器は上側が前記筐体の前記背面板の方向に近づくよう傾斜していることを特徴とする。
【発明の効果】
【０００８】
本発明によれば、シロッコファンのファンモータの回転中心から第１熱交換器までの距離をＬ１とし、第２熱交換器までの距離をＬ２とするとき、Ｌ１＜Ｌ２に設定したので、シロッコファンが第１熱交換器の側に近づく。このため、Ｌ１＝Ｌ２とした場合に第１熱交換器に通過させる空気量よりも多くの空気量を、その第１熱交換器に供給することができ、第１熱交換器での熱交換効率を高めることができる。また、第１熱交換器の位置が背面板の側に寄るので、Ｌ２を従来と同じにした場合は、Ｌ１＜Ｌ２であることから、筐体の前面板を背面板側に寄せることができ、筐体の前後寸法を小さくすることができる。
【図面の簡単な説明】
【０００９】
【図１】本発明の実施例の天井埋込型空気調和機の設置状態を示す説明図である。
【図２】図１の天井埋込型空気調和機の斜視図である。
【図３】図２の天井埋込型空気調和機の本体ユニットの斜視図である。
【図４】図３の本体ユニットの分解斜視図である。
【図５】ドレンパンの上面斜視図である。
【図６】補強金具の斜視図である。
【図７】図２のＡ−Ａ断面図である。
【図８】図２のＢ−Ｂ断面図である。
【図９】図６のＣ−Ｃ断面図である。
【図１０】図２のＡ−Ａ断面を表す斜視図である。
【図１１】課題とする天井埋込型空気調和機の概略説明図である。
【発明を実施するための形態】
【００１０】
以下、本発明の実施例の天井埋込型空気調和機１００について説明する。この天井埋込型空気調和機１００は、図１に示すように、空調室Ｒの天井Ｔ１に取り付けられ、屋外に設置される図示しない室外機との間で冷媒配管により接続されて冷媒回路を形成する。天井埋込型空気調和機１００は、天井裏Ｔ２に配置される箱型の本体ユニット２００と、空調室Ｒ側に露出するように本体ユニット２００の底面に取付けられる化粧パネル３００を有する。本体ユニット２００には、図２に示すように、側面に制御回路が搭載された電装品箱４００を備える。
【００１１】
また、化粧パネル３００には、前方の左側から右側にかけて吹出口としての吹出ガイド筒３１０，３２０，３３０，３４０が形成されている。左端の吹出ガイド筒３１０を通過する空気は左端の回転板３８０と一緒に回転する吹出ガイド筒３１０及び上下風向板３１１により、中央の吹出ガイド筒３２０，３３０を通過する空気は共通の上下風向板３２１により、右端の吹出ガイド筒３４０を通過する空気は右端の回転板３９０と一緒に回転する吹出ガイド筒３４０及び上下風向板３４１により、上下の吹出方向が調整可能となっている。回転板３８０は図２の状態から左方向に９０度回転可能に形成され、回転板３９０は図２の状態から右方向に９０度回転可能となっている。
【００１２】
化粧パネル３００の下面３７０（図１に示す空調室Ｒに臨む面）の吹出ガイド筒３１０，３２０，３３０，３４０の並びよりも後方には、左右方向に長い形状の吸込口３５０が形成され、その吸込口３５０はグリル３６０で覆われている。そして、このグリル３６０と化粧パネル３００の下面３７０の前部３７２との間のうち、グリル３６０と上下風向板３１１〜３４１の間が、後記するように下方向に突出した凸部３７１となり、前部３７２よりも下方に突出している。
【００１３】
図３に化粧パネル３００を取り外して本体ユニット２００を下から見た状態を示し、図４にこの本体ユニット２００を下方から見た展開図を示す。本体ユニット２００は、前記した電装品箱４００の他に、鋼板製の筐体５００と、熱交換器６００と、ファンユニット７００と、ドレンパン８００と、吸込口９１０と吐出口９２０を有するドレンポンプ９００を備える。
【００１４】
筐体５００は、長方形の天面板５１０と、天面板５１０の四辺から下方に延在する前面板５２０、背面板５３０、左側面板５４０、右側面板５５０で形成された箱型である。右側面板５５０には図２に示す電装品箱４００が取り付けられ、また、同じ右側面板５５０にドレンパイプ５５１が取り付けられる。さらに、左側面板５４０と右側面板５５０のそれぞれの天面板５１０側には、２個の取付金具５６０が取り付けられている。本体ユニット２００は、この取付金具５６０を天井裏Ｔ２に固定された図示しない吊りボルトにて吊り下げることで天井裏Ｔ２に設置される。
【００１５】
熱交換器６００は筐体５００に格納され、筐体５００の前面板５２０の側に配置される第１熱交換器６１０と、背面板５３０の側に配置される第２熱交換器６２０とを有する。そして、第１熱交換器６１０は上側が筺体５００の前面板５２０の方向に傾斜し、第２熱交換器６２０は上側が筺体５００の背面板５３０の方向に傾斜している。そして、この熱交換器部６１０，６２０は、各々の上端が筐体５００の天面板５１０に取り付けられている。また、この熱交換器６１０，６２０の左側面板５４０側の各々の端部には、後記するモータ軸７１２を支持するモータ軸支持板６３０が取り付けられ、熱交換器６２０，６３０の右側面板５５０側の各々の端部には、後記するモータ軸７１３を支持するモータ軸支持板６４０が取り付けられている。
【００１６】
ファンユニット７００は、モータ取付台７１１を有する両軸型のファンモータ７１０と、そのファンモータ７１０の一方の回転軸７１２に固定された２個の羽根車７２１、７２２と、そのモータ７１０の他方の回転軸７１３に固定された２個の羽根車７２３、７２４と、各羽根車７２１〜７２４を個々に囲むファンケーシング７３１〜７３４とを有する。ファンケーシング７３１〜７３４は、筐体５００の天面板５１０に取り付けられる上面取付部７３１ａ〜７３４ａと、側面の吸込開口７３１ｂ〜７３４ｂと、下方向に突出するように形成された吹出筒７３１ｃ〜７３４ｃとを、それぞれ有する。羽根車７２１とファンケーシング７３１、羽根車７２２とファンケーシング７３２、羽根車７２３とファンケーシング７３３１、羽根車７２４とファンケーシング７３４は、それぞれシロッコファンを形成している。
【００１７】
ドレンパン８００は、発泡スチロール製の断熱材８１０で形成されている。この断熱材８１０には、上面８１０ａからから下面８１０ｂに貫通する４個の吹出開口８２１〜８２４が横方向に一列に並べて形成されている。また、このドレンパン８００は、図５に示すように、奥端部８１０ｃと前端部８１０ｄを長辺とするほぼ長方形に形成されている。
【００１８】
そして、断熱材８１０の上面８１０ａには、奥端部８１０ｃ側の外壁８３１と奥側の内壁８３２との間に、熱交換器６３０で発生する露を受け止める溝８３３が形成されている。また、前端部８１０ｄ側の外壁８４１と前側の内壁８４２との間に、第２熱交換器６２０で発生する露を受け止める溝８４３が形成されている。さらに、右端部８１０ｅ側の外壁８５１と右側の内壁８５２の間にも溝８５３が形成されている。さらに、内壁８３２と吹出開口８２１〜８２４の周壁８２１ａ〜８２４ａの間にも、ファンケーシング７３１〜７３４の外側に付着した露の露受け部として働く溝８３４が形成されている。さらに、内壁８４２と吹出開口８２１〜８２４の周壁８２１ａ〜８２４ａの間にもファンケーシング７３１〜７３４の外側に付着した露の露受け部として働く溝８４４が形成されている。さらに、断熱材８１０の上面８１０ａの右奥には、ドレンタンク８６０が形成されている。そして、溝８３３と溝８５３はドレンタンク８６０に連続し、溝８４３は溝８５３に連続している。つまり、溝８３３，８４３，８５３に溜まったドレン水はドレンタンク８６０に集まるようになっている。溝８４３，８４４は溝８３３，８４３には連通していない。
【００１９】
断熱材８１０の下面８１０ｂの側には、図６に示すような形状の補強金具８７０が埋め込みにより装着されている。この補強金具８７０は、ドレンパン８００の奥端部８１０ｃに対応する長片８７１、前端部８１０ｄに対応する長片８７２、長片８７１と長片８７２の図６における左側を接続する短片８７３、長片８７１と長片８７２の図６における右側を接続する短片８７４、及び取付片８７５，８７６を有する。この補強金具８７０の全体形状は、長片８７１，８７２と短片８７３，８７４によって、ドレンパン８００の吹出開口８２１〜８２４の並びの外側を囲む長方形の形状となっている。断熱材８１０への補強金具８７０の埋め込みは、断熱材８１０を成型する型内に補強金具８７０を予め位置決めしておいてから、発泡スチロールを発泡させて埋め込む。これにより補強金具８７０は、長片８７１、８７２が断熱材８１０の内部に埋め込まれ、短片８７３，８７４、取付片８７５、８７６が露出するように、断熱材８１０に一体化される。
【００２０】
化粧パネル３００の吹出ガイド筒３１０はドレンパン８００の吹出開口８２１に連通し、吹出ガイド筒３２０はドレンパン８００の吹出開口８２２に連通し、吹出ガイド筒３３０はドレンパン８００の吹出開口８２３に連通し、吹出ガイド筒３４０はドレンパン８００の吹出開口８２４に連通するよう形成されている。左側の吹出ガイド筒３１０の上下風向板３１１と右側の吹出ガイド筒３４０の上下風向板３４１は、それぞれ前記したように９０度回転調節可能となっている。
【００２１】
ここで、吹出ガイド筒３２０を代表して説明する。図７に示すように、吹出ガイド筒３２０は、上端開口３２２がファンケーシング７３２の吹出開口７３２ｃとドレンパン８００の吹出開口８２２において連通し、下端開口３２３が前方斜め下方向を向くように配置され、上端開口３２２から下端開口３２３にかけての通風路３２４は滑らかに湾曲した形状となっている。そして、吹出開口としての下端開口３２３には吹出ガイド筒３３０と共用の上下風向板３２１が取り付けられ、通風路３２４の奥上部には吹出ガイド筒３２０用の左右風向板３２５が取り付けられている。また、下端開口３２３の下端３２３ａは、化粧パネル３００の下面３７０の前部３７２よりも下方に突出している。吹出ガイド筒３３０の図示しない通風路内にも左右風向板３２５と同様の図示しない左右風向板が取り付けられている。左端の吹出ガイド筒３１０と右端の吹出ガイド筒３４０は図示しない左右風向板が取り付けられ、上下風向板３１１、３４１は回転板３８０、３９０の回転によって回転可能になっているが、これらの部分については本発明と関係がないので詳しい説明は省略する。
【００２２】
ここで、天井埋込型空気調和機１００の組み立てについて適宜図４を参照して説明する。まず、本体ユニット２００の筐体５００を天面板５１０側を組立台の上に向けて置き、組立済みの第１熱交換器６１０，６２０を天面板５１０の内側に固定する。
【００２３】
次に、組立済みのファンユニット７００を、第１熱交換器６１０，６２０の間に位置合わせしてから、モータ７１０のモータ取付台７１１を天面板５１０にネジ止めし、一方の回転軸７１２をモータ軸支持板６３０で支持し、他方の回転軸７１３をモータ軸支持板６４０で支持する。さらに、ファンケーシング７３１〜７３４の上面取付部７３１ａ〜７３４ａを天面板５１０にネジ止めする。
【００２４】
このとき、図４に示すように、ファンユニット７００のモータ回転軸７１２，７１３の中心Ｃ１と前側の第１熱交換器６１０の上下方向の中心Ｃ２との距離をＬ１とし、Ｃ１と奥側の第２熱交換器６２０の上下方向の中心Ｃ３との距離をＬ２としたとき、Ｌ１＜Ｌ２となるように配置して、ファンユニット７００を奥側の第２熱交換器６２０よりも前側の第１熱交換器６１０に近づける。
【００２５】
次に、ドレンポンプ９００を筐体５００の右側面板５５０の内側に取り付けて、その吐出口９２０を図３に示すドレンパイプ５５１に連結する。そして、ドレンパン８００の上面８１０ａの溝８３３に第２熱交換器６２０を位置合わせし、溝８４３に第１熱交換器６１０を位置合わせしてから、このドレンパン８００を筐体５００の内側に入るように下から押し込んで、補強金具８７０の短辺８７３を筐体５００の左側面板５４０にネジ止めし、取付片８７５，８７６を右側面板５５０にネジ止めする。このように取り付けられたドレンパン８００は、その奥端部８１０ｃは後記するスペースＳ１に臨み、前端部８１０ｄは後記するスペースＳ２に臨むことになる。
【００２６】
以上によって、ファンユニット７００の４個のファンケーシング７３１〜７３４の吹出筒７３１ｃ〜７３４ｃがドレンパン８００の上面８１０ａ側の４個の吹出開口８２１〜８２４の周壁８２１ａ〜８２４ａの内側に入り込み、ファンケーシング７３１〜７３４の吹出筒７３１ｃ〜７３４ｃがドレンパン８００の吹出開口８２１〜８２４に連通する。また、ドレンパン８００のドレンタンク８６０内にドレンポンプ９００の吸込口９１０が位置する。
【００２７】
組み立て済の本体ユニット２００は化粧パネル３００とは個別に梱包されているので、天井埋込型空気調和機１００を設置する際は、まず、その梱包を解いてから、天井裏Ｔ２に埋め込まれた複数の吊りボルトに本体ユニット２００を吊り下げて天井裏Ｔ２に設置する。そして、化粧パネル３００を図１に示す空調室Ｒ側から取り付ける。このとき、図７に示すように、化粧パネル３００の吹出ガイド筒３２０の上端開口３２２をドレンパン８００の下面８１０ｂから吹出開口８２２に挿入し、ファンケーシング７３２の吹出筒７３２ｃに連通させる。また、残りの吹出ガイド筒３１０，３３０，３４０についても同様にドレンパン８００の吹出開口８２１，８２３，８２４に挿入し、ファンケーシング７３１、７３３、７３４の吹出筒７３１ｃ、７３３ｃ、７３４ｃに連通させる。そして、化粧パネル３００を本体ユニット２００の筐体５００にネジ止めし、図示しない冷媒配管、電源線、信号線などを接続する。
【００２８】
以上のように組み立てられた天井埋込型空気調和機１００は、図８に示すように、奥側の第２熱交換器６２０と背面板５３０との間の空間Ｓ１と、前側の第１熱交換器６１０と筐体５００の前面板５２０との間の空間Ｓ２が、ドレンパン８００の下面８１０ｂと化粧パネル３００との間のスペースＳ３で連通する。このスペースＳ３には吹出ガイド筒３１０〜３４０が配置されるが、スペースＳ３はそれらの相互間を連通するスペースともなる。
【００２９】
以上から本実施例の天井埋込型空気調和機１００では、吹出ガイド筒３２０が、その下端開口３２３の下端２３２ａが化粧パネル３００の下面３７０の前部３７２よりも下方に突出し、その下端開口３２３の開口面が前方斜め下方向を向いている。また、通風路３２４が前面板５２０の下方向に向けて滑らかに湾曲している。このため、羽根車７２２の回転で吹き出される空気が吹出ガイド筒３２０によって風量損失を受けにくくなり、吹出空気流の天井埋込型空気調和機１００前方への到達距離を伸ばすことが可能になる。吹出ガイド筒３１０，３３０，３４０についても同様である。
【００３０】
また、化粧パネル３００の吸込口３５０から吸い込まれた空気は、奥側の第２熱交換器６２０と背面板５３０の間のスペースＳ１から第２熱交換器６２０に到達する。さらに、化粧パネル３００の吸込口３５０から吸い込まれた空気は、ドレンパン８００の下面８１０ｂと化粧パネル３００の間で且つ吹出ガイド筒３１０〜３４０の間のスペースＳ３、及び前側の第１熱交換器６１０と前面板５２０の間のスペースＳ２を経由して、前側の第１熱交換器６１０にも到達する。このため、吸込口３５０からの距離が第２熱交換器６２０よりも遠い第１熱交換器６１０にも、充分な量の空気を送り込むことが可能となって、第１熱交換器６１０による熱交換が第２熱交換器６２０と同様に可能となり、天井埋込型熱交換器の熱交換能率を高めることができる。このとき、第１熱交換器６１０はその上側が筐体５００の前面板５２０の方向に傾斜し、第２熱交換器６２０はその上側が筐体５００の背面板５３０の方向に傾斜しており、スペースＳ１，Ｓ２ともに下方向から空気が吸い込まれるので、吸込空気の変更される角度が直角から鈍角に緩やかになって通風抵抗が減少し、それら第１及び第２熱交換器６１０、６２０における空気と冷媒との熱交換の効率が、傾斜が無い場合と比べて高くなる。また、このように第１及び第２熱交換器６１０、６２０を傾斜させることにより、直立させる場合に比べて上下幅が長くなるので、その分だけ熱交換面積を大きくした熱交換器をそこに配置することができ、この面でも熱交換の効率が高くなる。
【００３１】
さらに、図７に示したように、ファンユニット７００のモータ回転軸７１１，７１２の中心Ｃ１と第１熱交換器６１０の上下の中心Ｃ２との距離をＬ１とし、Ｃ１と第２熱交換器６２０の上下の中心Ｃ３との距離をＬ２としたとき、Ｌ１＜Ｌ２に設定している。このとき、ファンケーシング７３１〜７３４の吹出筒７３１ｃ〜７３４ｃは真下、つまりドレンパン８００の方向を向くようにしているため、その吹出筒７３１ｃ〜７３４ｃが第１熱交換器６１０や第２熱交換器６２０に当たることはない。以上から、ファンユニット７００が第２熱交換器６２０よりも第１熱交換器６１０の側に近づいた配置とすることが可能となり、ファンユニット７００に近い第１熱交換器６１０への空気の吸込量が増大する。このため、Ｌ１＝Ｌ２にした場合よりも第１熱交換器６１０に吸い込まれる空気量が第２熱交換器６２０に吸い込まれる空気量よりも多くなるので、第２熱交換器６２０に比べて空気流路が長くなる第１熱交換器６１０においても、第２熱交換器６２０と同等の熱交換効率となって、バランスが改善される。つまり、Ｌ１＜Ｌ２に設定することで第１熱交換器６１０に吸い込まれる空気量が増大し、第１熱交換器６１０と第２熱交換器６２０における熱交換効率のバランスも改善される。また、Ｌ２を従来と同じにした場合は、第１熱交換器６１０の位置が筺体５００の背面板５３０の側に寄るので、筐体５００の前面板５２０を背面板５３０の側に寄せることができ、筐体５００の前後寸法を小さくすることができる。なお、ファンユニット７００のファンケーシング７３１〜７３４の第１熱交換器６１０側がその第１熱交換器６１０に当接するような場合は、ファンケーシング７３１〜７３４の第１熱交換器６１０を向く側を、図７に示すラインＤ１部分でカットした横向きの平面形状に形成すれば良い。
【００３２】
さらに、ファンユニット７００のファンケーシング７３１〜７３４は、その吹出筒７３１ｃ〜７３４ｃの周囲がドレンパン８００の吹出開口８２１〜８２４の周壁８２１ａ〜８２４ａの内側に入り込むように配置される。一方、ドレンパン８００には第２熱交換器６２０用の溝８３３の周壁８２１ａ〜８２４ａの側に溝８３４が形成され、第１熱交換器６１０用の溝８４３の周壁８２１ａ〜８２４ａの側に溝８４４が形成されている。したがって、ファンケーシング７３１〜７３４の外側に露が付着した際に、その露がドレンパン８００の溝８３４，８４４に落下してそこで受け止められ、化粧パネル３００の吹出ガイド筒３１０〜３４０を伝わって室内に落下することを防止できる。ファンケーシング７３１〜７３４から落下する露はわずかであるので溝８４３，８４４は溝８３３，８４３には連通していないが、連通させてもよい。
【００３３】
さらに、ドレンパン８００には補強金具８７０を取り付けている。その取り付けを、補強金具８７０をドレンパン８００の断熱材８１０の製造時に埋め込んで行うことで、ドレンパン８００に一体化している。この補強金具８７０は、ドレンパン８００自体の強度を高くする。また、従来ではドレンパン８００を下から支える補強板が使用されるが、補強金具８７０はドレンパン８００の下面８１０ｂの側に埋め込まれているので、ドレンパン８００を下から支えることになり、その補強板を省略することができる。さらに、その補強金具８７０の短片８７３と取付片８７５，８７６を筐体５００にネジ止めするので、そのネジ止めによってドレンパン８００の取り付けと同時に筐体５００の補強を行うこともできる。
【符号の説明】
【００３４】
１００：天井埋込型空気調和機
２００：本体ユニット
３００：化粧パネル、３１０〜３４０：吹出ガイド筒、３２２：上端開口、３２３：下端開口、３１１，３２１，３４１：上下風向板、３５０：吸込口、３６０：グリル、３７０：下面、３８０，３９０：回転板
４００：電装品箱
５００：筐体、５１０：天面板、５２０：前面板、５３０：背面板、５４０：左側面板、５５０：右側面板、５６０：取付金具、５５１：ホース
６００：熱交換器、６１０：第１熱交換器、６２０：第２熱交換器、６３０、８４０：モータ軸支持板
７００：ファンユニット、７１０：ファンモータ、７２１〜７２４：羽根車、７３１〜７３４：ファンケーシング、７３１ｃ〜７３４ｃ：吹出筒
８００：ドレンパン、８１０：断熱材、８２１〜８２４：吹出開口、８３３，８３４，８４３，８４４：溝、８６０：ドレンタンク、８７０：補強金具
９００：ドレンポンプ
【図１】
2019178831.tif 000003
【図２】
2019178831.tif 000004
【図３】
2019178831.tif 000005
【図４】
2019178831.tif 000006
【図５】
2019178831.tif 000007
【図６】
2019178831.tif 000008
【図７】
2019178831.tif 000009
【図８】
2019178831.tif 000010
【図９】
2019178831.tif 000011
【図１０】
2019178831.tif 000012
【図１１】
2019178831.tif 000013